(57)【特許請求の範囲】
【請求項１】
毛髪やごみ等を引っ掛ける複数の捕集リブを設けたヘヤーキャッチャーがその中心部に設けられる円筒部を介してケレップ軸に摺動自在に挿通保持される排水栓用ケレップ軸構造であって、
ケレップ軸の下端部にケレップ軸の表面領域を短筒状に抉って環状溝部を形成し、この環状溝部内に環状溝部の下縁に沿って水平状態に配置される略Ｕ字状リングの湾曲部が前記表面領域より突出する状態で略Ｕ字状リングの両端部を前記ケレップ軸に回転自在に嵌入して設けられ、
前記略Ｕ字状リングは、垂直状態の前記ケレップ軸に前記ヘヤーキャッチャーをスライド挿入する動作に付勢されて前記湾曲部が前記両端部を中心に上方に回転して略Ｕ字状リング全体が環状溝部内に納まり、前記ヘヤーキャッチャーが略Ｕ字状リングを摺り抜けるとともに略Ｕ字状リングが自重により水平状態に復帰し、前記ヘヤーキャッチャーを前記湾曲部によって離脱しないように係止する略Ｕ字状リングであることを特徴とする排水栓用ケレップ軸構造。
【発明の詳細な説明】
【技術分野】
【０００１】
本発明は、洗面化粧台等の排水口に装着して毛髪やごみ等を捕集するのに用いるヘヤーキャッチャーに関し、詳しくは、ヘヤーキャッチャーを容易に清掃できる排水栓用ケレップ軸構造の技術に関する。
【背景技術】
【０００２】
従来、ヘヤーチャッチャーを備える排水栓用ケレップ軸構造に関しては、特許文献１の記載内容が知られている。この特許文献１によれば、図４、図５に示すように、排水栓１のケレップ３は図示しない排水口の口径寸法に適合する略円板形状に形成され、ケレップ３の下側中央にケレップ軸４の上端が嵌合して垂設されている。ケレップ軸４は断面円形状の金属棒で、その両端近傍の外周に凹溝２１が形成されている。
【０００３】
ヘヤーキャッチャー６は合成樹脂にて一体に形成され、車輪形状の上キャッチャー部１８と下キャッチャー部１９とが円筒部１７を介して連結された形状で、上キャッチャー部１８、円筒部１７、下キャッチャー部１９を連通して形成される断面円形状の貫通孔５を介してケレップ軸４に摺動自在に挿通される。  そして、ヘヤーキャッチャー６は下キャッチャー部１９の外周部分が図示しない排水口の段部に載置されることによって排水口内に着脱自在に設置される。
【０００４】
ここで、ケレップ３は合成樹脂性でその下側中央に円筒状部２２が一体に突設されており、円筒状部２２の下方開口部２３に前記ケレップ軸４の上端が挿入嵌合される。下方開口部２３の内周には凸条２４が突設され、凸条２４が前記ケレップ軸４の凹溝２１に係止する。さらに、円筒状部２２の外壁部分には複数のスリット２５が形成されていて円筒状部２２はその弾性に抗して拡開可能なものであり、この弾性力によって前記ケレップ軸４の上端が円筒状部２２の下方開口部２３にスムーズ且つ確実に着脱自在に挿入嵌合される。
【０００５】
さらに、ケレップ軸４の下端部にはヘヤーキャッチャー６に形成される貫通孔５よりも大径の円柱形状からなる錘体７が着脱自在に嵌合されている。この錘体７もケレップ３と同様の構成でケレップ軸４の下端に着脱自在に挿入嵌合される。このため、ケレップ３又は錘体７をケレップ軸４から取外してヘヤーキャッチャー６を離脱して、ヘヤーキャッチャー６に捕捉された毛髪やごみ等の清掃作業を行うことができる。
【特許文献１】特開平９−３１６９５７号公報
【発明の開示】
【発明が解決しようとする課題】
【０００６】
ところが、ケレップ軸４の端部から錘体７又はケレップ３を取外す際に、各部材が毛髪やごみ等でヌメヌメしているために手で把持して取外すことが難しく手間も掛かるので、ペンチ等の把持工具が必要になる場合があるという問題があった。
【０００７】
そこで、本発明は上記問題点を解決して、分解清掃時に工具等を必要とせず各部材の分解及び組付けを容易に行うことができる排水栓用ケレップ軸構造を提供することを目的とする。
【課題を解決するための手段】
【０００８】
請求項１の発明は、毛髪やごみ等を引っ掛ける複数の捕集リブを設けたヘヤーキャッチャーがその中心部に設けられる円筒部を介してケレップ軸に摺動自在に挿通保持される排水栓用ケレップ軸構造であって、ケレップ軸の下端部にケレップ軸の表面領域を短筒状に抉って環状溝部を形成し、この環状溝部内に環状溝部の下縁に沿って水平状態に配置される略Ｕ字状リングの湾曲部が前記表面領域より突出する状態で略Ｕ字状リングの両端部を前記ケレップ軸に回転自在に嵌入して設けられ、前記略Ｕ字状リングは、垂直状態の前記ケレップ軸に前記ヘヤーキャッチャーをスライド挿入する動作に付勢されて前記湾曲部が前記両端部を中心に上方に回転して略Ｕ字状リング全体が環状溝部内に納まり、前記ヘヤーキャッチャーが略Ｕ字状リングを摺りぬけるとともに略Ｕ字状リングが自重により水平状態に復帰し、前記ヘヤーキャッチャーを前記湾曲部によって離脱しないように係止する略Ｕ字状リングであることを特徴としている。
【発明の効果】
【０００９】
請求項１記載の発明によれば、ケレップ軸の下端部にケレップ軸の表面領域を短筒状に抉って環状溝部を形成し、この環状溝部内に環状溝部の下縁に沿って水平状態に配置される略Ｕ字状リングの湾曲部が前記表面領域より突出する状態で略Ｕ字状リングの両端部を前記ケレップ軸に回転自在に嵌入して設けられ、前記略Ｕ字状リングは、垂直状態の前記ケレップ軸に前記ヘヤーキャッチャーをスライド挿入する動作に付勢されて前記湾曲部が前記両端部を中心に上方に回転して略Ｕ字状リング全体が環状溝部内に納まり、前記ヘヤーキャッチャーが略Ｕ字状リングを摺り抜けるとともに略Ｕ字状リングが自重により水平状態に自然に復帰できて前記ヘヤーキャッチャーを前記湾曲部によって離脱しないように係止することができるので、この排水栓用ケレップ軸構造の各部材の分解清掃作業を行なう場合には、上記とは逆に、前記ヘヤーキャッチャーを少し上方にスライドして持ち上げた状態で、前記略Ｕ字状リングを前記両端部を中心にして水平状態から回転させて立ち上げ、略Ｕ字状リング全体が環状溝部内に納まる状態にして、前記ヘヤーキャッチャーを容易に離脱させることができる。
【００１０】
この排水栓用ケレップ軸構造であれば、工具等を必要とせず各部材の分解および組付けと清掃作業を容易に行うことができる
【発明を実施するための最良の形態】
【００１１】
以下に、本発明の実施形態を図１〜図３に基づいて説明する。なお、図４、図５に示した構成と同等部分については、適宜に同一符号を付して説明する。
【００１２】
＜排水栓用ケレップ軸構造の構成＞  
図１、図２（ａ）、（ｂ）、図３に示すように、排水栓３０は、ケレップ３に下垂されるケレップ軸４にヘヤーキャッチャー６が摺動自在に保持される構成である。ヘヤーキャッチャー６は毛髪やごみ等を引っ掛ける捕集リブ３１を放射状に５本及び４本設けた車輪形状の上キャッチャー部１８と下キャッチャー部１９とが円筒部１７を介して連結された形状であって、円筒部１７には上キャッチャー部１８、円筒部１７、下キャッチャー部１９を連通した断面円形状の貫通孔５が形成されている。
【００１３】
本発明の排水栓用ケレップ軸構造３０ａは、断面円形状の金属棒からなるケレップ軸４の下端部４ａにケレップ軸４の表面領域４ｂを短筒状に抉って環状溝部３２を形成し、この環状溝部３２内に略Ｕ字状リング３３が環状溝部３２の下縁３２ａに沿って水平状態に配置される。
【００１４】
そして、略Ｕ字状リング３３の湾曲部３３ａが表面領域４ｂより突出（突出長さＱ）する状態で略Ｕ字状リング３３の両端部３３ｂをケレップ軸４の中実部４ｃに回転自在に嵌入して設けられる。このとき、両端部３３ｂは表面領域４ｂ内に納まる。中実部４ｃには、略Ｕ字状リング３３の両端部３３ｂが嵌入される孔３４が中実部４ｃを貫通して設けられる。
【００１５】
ヘヤーキャッチャー６を垂直状態のケレップ軸４に装着する際には、ヘヤーキャッチャー６のスライド挿入する動作によって付勢されて、略Ｕ字状リング３３は水平状態Ｔから湾曲部３３ａが両端部３３ｂを中心に上方に回転して略Ｕ字状リング３３全体が環状溝部３２内に納まる収納状態Ｓになる。
【００１６】
いま、略Ｕ字状リング３３の直径Ｒ、ケレップ軸４の半径Ｄ、中実部４ｃの半径Ｄ１、環状溝部３２の溝深さＨとすると、Ｄ−Ｄ１＝Ｈ＞Ｒ  及び  Ｑ≧Ｒの関係に形成される。
【００１７】
このため、ヘヤーキャッチャー６は装着時に略Ｕ字状リング３３を容易に摺り抜けると同時に略Ｕ字状リング３３が自重により自動的に水平状態Ｔに復帰して、ヘヤーキャッチャー６をその湾曲部３３ａによって離脱しないように係止することができる。
【００１８】
なお、本発明の構成は、上記従来の排水栓用ケレップ軸構造における錘体７を備えていないので、従来と同じ太さのケレップ軸であればケレップ３に掛かる重量が軽くなるため排水口におけるケレップ３の封水性が低下する。このため、ケレップ軸４の直径を従来品の５ｍｍに比べて太く８ｍｍにすることで重量を補い封水性を保つことが好ましい。
【００１９】
ケレップ３、ケレップ軸４、略Ｕ字状リング３３はステンレス等の耐腐食性金属、ヘヤーキャッチャー６はステンレス等の耐腐食性金属又は合成樹脂にて形成される。
【００２０】
＜排水栓用ケレップ軸構造の作用＞
排水栓３０の各部材の分解清掃作業を行う場合には、ヘヤーキャッチャー６を少し上方にスライドして持ち上げた状態で、略Ｕ字状リング３３を両端部３３ｂを中心にして水平状態Ｔから回転させて立ち上げ、略Ｕ字状リング３３全体を環状溝部３２に収納状態Ｓとして、ヘヤーキャッチャー６を下方にスライドさせることによりヘヤーキャッチャー６をケレップ軸４から容易に離脱させることができる。
【００２１】
ヘヤーキャッチャー６をケレップ軸４に装着する際には、上記のように、垂直状態のケレップ軸４にヘヤーキャッチャー６をスライド挿入するだけでヘヤーキャッチャー６が略Ｕ字状リング３３を摺り抜けることができ、収納状態Ｓの略Ｕ字状リング３３は垂直から倒れた状態なので自重により自動的に水平状態Ｔに復帰し、ヘヤーキャッチャー６を湾曲部３３ａによって離脱しないように係止することができる。このため、ヘヤーキャッチャー６をケレップ軸４にワンタッチで簡単に装着できる。
【００２２】
この排水栓用ケレップ軸構造であれば、工具等を必要とせず各部材の分解及び組付けが容易にできて清掃作業を容易に行うことができる。
【００２３】
ヘヤーキャッチャー６をケレップ軸４から離脱することによって、ヘヤーキャッチャー６を振る動作によって毛髪やごみ等を除くことができるので、手を触れることなく毛髪やごみ等を除去できて使用者の生理的抵抗感を解消することができる。また、分解したヘヤーキャッチャー６はケレップ軸４が邪魔にならないので、（歯）ブラシ等によってヘヤーキャッチャー６の隅々まで容易且つ確実に清掃可能になる。ヘヤーキャッチャー６の破損時の交換やヘヤーキャッチャー６の使い捨て式も可能になるので簡易性及び利便性が向上する。
【００２４】
以上、本発明の実施形態を図面に基づいて説明したが、上記の実施例はいずれも本発明の一例を示したものであり、本発明はこれらに限定されるべきでないということは言うまでもない。例えば、洗面化粧台の洗面ボウルの排水口にヘヤーキャッチャーを設ける例について説明したが、浴槽の排水口や台所の排水口でも同様に実施できる。
【図面の簡単な説明】
【００２５】
【図１】本発明の実施形態における、排水栓用ケレップ軸構造３０ａを含む排水栓３０の組立図である。
【図２】本発明の実施形態における、（ａ）は排水栓用ケレップ軸構造３０ａの詳細側面図、（ｂ）は図２（ａ）のＡ−Ａ矢視図である。
【図３】本発明の実施形態における、排水栓３０が組立られた状態における排水栓用ケレップ軸構造３０ａの略Ｕ字状リング３３の状態を示す一部透視斜視図である。
【図４】従来例における、排水栓１の斜視図である。
【図５】従来例における、ケレップ３とケレップ軸４の嵌合部の状態を示す一部透視断面図である。
【符号の説明】
【００２６】
４  ケレップ軸
４ａ  下端部
４ｂ  表面領域
４ｃ  中実部
６  ヘヤーキャッチャー
３０  排水栓
３０ａ  排水栓用ケレップ軸構造
３２  環状溝部
３２ａ  下縁
３３  略Ｕ字状リング
３３ａ  湾曲部
３３ｂ  端部
３４  孔
Ｓ  収納状態
【図１】
0004513703.tif 000002
【図２】
0004513703.tif 000003
【図３】
0004513703.tif 000004
【図４】
0004513703.tif 000005
【図５】
0004513703.tif 000006